(57)【要約】  本発明の課題は、確度（正確度・精度）の高い、膵臓癌の判定用マーカーを提供することにある。  本発明は、膵臓癌の判定用マーカー、膵臓癌の判定方法、膵臓癌の判定を行うためのデータを得る方法、膵臓癌の判定用キット等に関する。【特許請求の範囲】
【請求項１】
下記（１）〜（５）から選ばれる糖鎖を含む、膵臓癌の判定用マーカー：
（１）インターアルファトリプシンインヒビター重鎖Ｈ３に存在する、下記式５で表される糖鎖、
（２）ロイシンリッチアルファ２グリコプロテインに存在する、下記式６で表される糖鎖、
（３）ビトロネクチンに存在する、下記式１〜３で表される少なくとも１つの糖鎖、
（４）補体Ｃ４−Ａに存在する、下記式４で表される糖鎖、
（５）チロキシン結合グロブリンに存在する、下記式３で表される糖鎖。
2020004244.tif 000064
（式１中、ｍ１は０〜２の整数を表す）
2020004244.tif 000065
（式２中、ｍ２は０又は１を表す）
2020004244.tif 000066
（式３中、ｎ１は０又は１を表す）
2020004244.tif 000067
2020004244.tif 000068
（式５中、ｎ２は０又は１を表す）
2020004244.tif 000069
【請求項２】
前記糖鎖が、下記（１−１）〜（５−１）の何れか１つで表される糖鎖である、請求項１に記載のマーカー：
（１−１）インターアルファトリプシンインヒビター重鎖Ｈ３のアミノ酸配列のＮ末端より５８０番目のアスパラギン残基に結合している前記式５で表される糖鎖、
（２−１）ロイシンリッチアルファ２グリコプロテインのアミノ酸配列のＮ末端より１８６番目のアスパラギン残基に結合している前記式６で表される糖鎖、
（３−１）ビトロネクチンのアミノ酸配列のＮ末端より１６９番目のアスパラギン残基に結合している前記式１〜３で表される少なくとも１つの糖鎖、
（４−１）補体Ｃ４−Ａのアミノ酸配列のＮ末端より１３２８番目のアスパラギン残基に結合している前記式４で表される糖鎖、
（５−１）チロキシン結合グロブリンのアミノ酸配列のＮ末端より３６番目のアスパラギン残基に結合している前記式３で表される糖鎖。
【請求項３】
前記糖鎖が、インターアルファトリプシンインヒビター重鎖Ｈ３のアミノ酸配列のＮ末端より５８０番目のアスパラギン残基に結合している前記式５で表される糖鎖である、請求項１に記載のマーカー。
【請求項４】
前記糖鎖が、ロイシンリッチアルファ２グリコプロテインのアミノ酸配列のＮ末端より１８６番目のアスパラギン残基に結合している前記式６で表される糖鎖である、請求項１に記載のマーカー。
【請求項５】
試料中の、下記（１）〜（５）から選ばれる糖鎖の量を測定し、得られた測定結果に基づいて膵臓癌を判定する、膵臓癌の判定方法：
（１）インターアルファトリプシンインヒビター重鎖Ｈ３に存在する、下記式５で表される糖鎖、
（２）ロイシンリッチアルファ２グリコプロテインに存在する、下記式６で表される糖鎖、
（３）ビトロネクチンに存在する、下記式１〜３で表される少なくとも１つの糖鎖、
（４）補体Ｃ４−Ａに存在する、下記式４で表される糖鎖、
（５）チロキシン結合グロブリンに存在する、下記式３で表される糖鎖。
2020004244.tif 000070
（式１中、ｍ１は０〜２の整数を表す）
2020004244.tif 000071
（式２中、ｍ２は０又は１を表す）
2020004244.tif 000072
（式３中、ｎ１は０又は１を表す）
2020004244.tif 000073
2020004244.tif 000074
（式５中、ｎ２は０又は１を表す）
2020004244.tif 000075
【請求項６】
前記糖鎖が、下記（１−１）〜（５〜１）の何れか１つで表される糖鎖である、請求項５に記載の判定方法：
（１−１）インターアルファトリプシンインヒビター重鎖Ｈ３のアミノ酸配列のＮ末端より５８０番目のアスパラギン残基に結合している前記式５で表される糖鎖、
（２−１）ロイシンリッチアルファ２グリコプロテインのアミノ酸配列のＮ末端より１８６番目のアスパラギン残基に結合している前記式６で表される糖鎖、
（３−１）ビトロネクチンのアミノ酸配列のＮ末端より１６９番目のアスパラギン残基に結合している前記式１〜３で表される少なくとも１つの糖鎖、
（４−１）補体Ｃ４−Ａのアミノ酸配列のＮ末端より１３２８番目のアスパラギン残基に結合している前記式４で表される糖鎖、
（５−１）チロキシン結合グロブリンのアミノ酸配列のＮ末端より３６番目のアスパラギン残基に結合している前記式３で表される糖鎖。
【請求項７】
前記糖鎖が、インターアルファトリプシンインヒビター重鎖Ｈ３のアミノ酸配列のＮ末端より５８０番目のアスパラギン残基に結合している前記式５で表される糖鎖である、請求項５に記載の判定方法。
【請求項８】
前記糖鎖が、ロイシンリッチアルファ２グリコプロテインのアミノ酸配列のＮ末端より１８６番目のアスパラギン残基に結合している前記式６で表される糖鎖である、請求項５に記載の判定方法。
【請求項９】
前記試料が、全血、血清又は血漿である、請求項５に記載の判定方法。
【請求項１０】
試料中の、下記（１）〜（５）から選ばれる糖鎖の量を測定することによりなされる、膵臓癌の判定を行うためのデータを得る方法：
（１）インターアルファトリプシンインヒビター重鎖Ｈ３に存在する、下記式５で表される糖鎖、
（２）ロイシンリッチアルファ２グリコプロテインに存在する、下記式６で表される糖鎖、
（３）ビトロネクチンに存在する、下記式１〜３で表される少なくとも１つの糖鎖、
（４）補体Ｃ４−Ａに存在する、下記式４で表される糖鎖、
（５）チロキシン結合グロブリンに存在する、下記式３で表される糖鎖。
2020004244.tif 000076
（式１中、ｍ１は０〜２の整数を表す）
2020004244.tif 000077
（式２中、ｍ２は０又は１を表す）
2020004244.tif 000078
（式３中、ｎ１は０又は１を表す）
2020004244.tif 000079
2020004244.tif 000080
（式５中、ｎ２は０又は１を表す）
2020004244.tif 000081
【請求項１１】
下記（１）〜（５）から選ばれる糖鎖に親和性を有する物質を含む、膵臓癌の判定用キット：
（１）インターアルファトリプシンインヒビター重鎖Ｈ３に存在する、下記式５で表される糖鎖、
（２）ロイシンリッチアルファ２グリコプロテインに存在する、下記式６で表される糖鎖、
（３）ビトロネクチンに存在する、下記式１〜３で表される少なくとも１つの糖鎖、
（４）補体Ｃ４−Ａに存在する、下記式４で表される糖鎖、
（５）チロキシン結合グロブリンに存在する、下記式３で表される糖鎖。
2020004244.tif 000082
（式１中、ｍ１は０〜２の整数を表す）
2020004244.tif 000083
（式２中、ｍ２は０又は１を表す）
2020004244.tif 000084
（式３中、ｎ１は０又は１を表す）
2020004244.tif 000085
2020004244.tif 000086
（式５中、ｎ２は０又は１を表す）
2020004244.tif 000087
【発明の詳細な説明】
【技術分野】
【０００１】
本発明は、膵臓癌の判定用マーカーに関する。
【背景技術】
【０００２】
糖鎖とは、グルコース、ガラクトース、マンノース、フコース、キシロース、Ｎ−アセチルグルコサミン、Ｎ−アセチルガラクトサミン、シアル酸等の単糖及びこれらの誘導体がグリコシド結合によって鎖状に結合した分子の総称である。
糖鎖は、生体内ではタンパク質や脂質と結合した複合糖質の形態で主に細胞表面に存在しており、細胞の増殖、細菌やウイルスの感染、神経の伸長、炎症、免疫等の生理作用に関与している。【０００３】
一方、糖鎖は、膵臓癌等の疾患に伴いその構造が変化することも知られており、近年、糖鎖を膵臓癌等の疾患の診断用マーカーとして用いるための研究が行われている。
糖鎖を有する膵臓癌等の疾患の診断用マーカーとしては、例えば、ＣＡ１９−９（ｃａｒｂｏｈｙｄｒａｔｅ  ａｎｔｉｇｅｎ  １９−９：膵臓癌マーカー）、ハプトグロビン（ｈａｐｔｏｇｌｏｂｉｎ：膵臓癌マーカー）等が知られている（特許文献１）。【０００４】
しかしながら、これら公知の糖鎖を有する膵臓癌マーカーは、確度（正確度・精度）の点で十分ではなかった。
【先行技術文献】
【特許文献】
【０００５】
【特許文献１】特開２００９−１６８４７０
【発明の概要】
【発明が解決しようとする課題】
【０００６】
本発明は、確度（正確度・精度）の高い、膵臓癌の判定用マーカーの提供を課題とする。
【課題を解決するための手段】
【０００７】
本発明は、上記課題を解決する目的でなされたものであり、以下の構成よりなる。
［１］
下記（１）〜（５）から選ばれる糖鎖を含む、膵臓癌の判定用マーカー：
（１）インターアルファトリプシンインヒビター重鎖Ｈ３に存在する、下記式５で表される糖鎖、
（２）ロイシンリッチアルファ２グリコプロテインに存在する、下記式６で表される糖鎖、
（３）ビトロネクチンに存在する、下記式１〜３で表される少なくとも１つの糖鎖、
（４）補体Ｃ４−Ａに存在する、下記式４で表される糖鎖、
（５）チロキシン結合グロブリンに存在する、下記式３表される糖鎖。
2020004244.tif 000002
（式１中、ｍ１は０〜２の整数を表す）
2020004244.tif 000003
（式２中、ｍ２は０又は１を表す）
2020004244.tif 000004
（式３中、ｎ１は０又は１を表す）
2020004244.tif 000005
2020004244.tif 000006
（式５中、ｎ２は０又は１を表す）
2020004244.tif 000007
［２］
前記糖鎖が、下記（１−１）〜（５−１）の何れか１つで表される糖鎖である、［１］に記載のマーカー：
（１−１）インターアルファトリプシンインヒビター重鎖Ｈ３のアミノ酸配列のＮ末端より５８０番目のアスパラギン残基に結合している前記式５で表される糖鎖、
（２−１）ロイシンリッチアルファ２グリコプロテインのアミノ酸配列のＮ末端より１８６番目のアスパラギン残基に結合している前記式６で表される糖鎖、
（３−１）ビトロネクチンのアミノ酸配列のＮ末端より１６９番目のアスパラギン残基に結合している前記式１〜３で表される少なくとも１つの糖鎖、
（４−１）補体Ｃ４−Ａのアミノ酸配列のＮ末端より１３２８番目のアスパラギン残基に結合している前記式４で表される糖鎖、
（５−１）チロキシン結合グロブリンのアミノ酸配列のＮ末端より３６番目のアスパラギン残基に結合している前記式３で表される糖鎖。
［３］
前記糖鎖が、インターアルファトリプシンインヒビター重鎖Ｈ３のアミノ酸配列のＮ末端より５８０番目のアスパラギン残基に結合している前記式５で表される糖鎖である、［１］又は［２］に記載のマーカー。
［４］
前記糖鎖が、ロイシンリッチアルファ２グリコプロテインのアミノ酸配列のＮ末端より１８６番目のアスパラギン残基に結合している前記式６で表される糖鎖である、［１］〜［３］の何れか１つに記載のマーカー。
［５］
試料中の、下記（１）〜（５）から選ばれる糖鎖の量を測定し、得られた測定結果に基づいて膵臓癌を判定する、膵臓癌の判定方法：
（１）インターアルファトリプシンインヒビター重鎖Ｈ３に存在する、下記式５で表される糖鎖、
（２）ロイシンリッチアルファ２グリコプロテインに存在する、下記式６で表される糖鎖、
（３）ビトロネクチンに存在する、下記式１〜３で表される少なくとも１つの糖鎖、
（４）補体Ｃ４−Ａに存在する、下記式４で表される糖鎖、
（５）チロキシン結合グロブリンに存在する、下記式３で表される糖鎖。
2020004244.tif 000008
（式１中、ｍ１は０〜２の整数を表す）
2020004244.tif 000009
（式２中、ｍ２は０又は１を表す）
2020004244.tif 000010
（式３中、ｎ１は０又は１を表す）
2020004244.tif 000011
2020004244.tif 000012
（式５中、ｎ２は０又は１を表す）
2020004244.tif 000013
［６］
前記糖鎖が、下記（１−１）〜（５〜１）の何れか１つで表される糖鎖である、［５］に記載の判定方法：
（１−１）インターアルファトリプシンインヒビター重鎖Ｈ３のアミノ酸配列のＮ末端より５８０番目のアスパラギン残基に結合している前記式５で表される糖鎖、
（２−１）ロイシンリッチアルファ２グリコプロテインのアミノ酸配列のＮ末端より１８６番目のアスパラギン残基に結合している前記式６で表される糖鎖、
（３−１）ビトロネクチンのアミノ酸配列のＮ末端より１６９番目のアスパラギン残基に結合している前記式１〜３で表される少なくとも１つの糖鎖、
（４−１）補体Ｃ４−Ａのアミノ酸配列のＮ末端より１３２８番目のアスパラギン残基に結合している前記式４で表される糖鎖、
（５−１）チロキシン結合グロブリンのアミノ酸配列のＮ末端より３６番目のアスパラギン残基に結合している前記式３で表される糖鎖。
［７］
前記糖鎖が、インターアルファトリプシンインヒビター重鎖Ｈ３のアミノ酸配列のＮ末端より５８０番目のアスパラギン残基に結合している前記式５で表される糖鎖である、［５］又は［６］に記載の判定方法。
［８］
前記糖鎖が、ロイシンリッチアルファ２グリコプロテインのアミノ酸配列のＮ末端より１８６番目のアスパラギン残基に結合している前記式６で表される糖鎖である、［５］〜［７］の何れか１つに記載の判定方法。
［９］
前記試料が、全血、血清又は血漿である、［５］〜［８］の何れか１つに記載の判定方法。
［１０］
試料中の、下記（１）〜（５）から選ばれる糖鎖の量を測定することによりなされる、膵臓癌の判定を行うためのデータを得る方法：
（１）インターアルファトリプシンインヒビター重鎖Ｈ３に存在する、下記式５で表される糖鎖、
（２）ロイシンリッチアルファ２グリコプロテインに存在する、下記式６で表される糖鎖、
（３）ビトロネクチンに存在する、下記式１〜３で表される少なくとも１つの糖鎖、
（４）補体Ｃ４−Ａに存在する、下記式４で表される糖鎖、
（５）チロキシン結合グロブリンに存在する、下記式３で表される糖鎖。
2020004244.tif 000014
（式１中、ｍ１は０〜２の整数を表す）
2020004244.tif 000015
（式２中、ｍ２は０又は１を表す）
2020004244.tif 000016
（式３中、ｎ１は０又は１を表す）
2020004244.tif 000017
2020004244.tif 000018
（式５中、ｎ２は０又は１を表す）
2020004244.tif 000019
［１１］
下記（１）〜（５）から選ばれる糖鎖に親和性を有する物質を含む、膵臓癌の判定用キット：
（１）インターアルファトリプシンインヒビター重鎖Ｈ３に存在する、下記式５で表される糖鎖、
（２）ロイシンリッチアルファ２グリコプロテインに存在する、下記式６で表される糖鎖、
（３）ビトロネクチンに存在する、下記式１〜３で表される少なくとも１つの糖鎖、
（４）補体Ｃ４−Ａに存在する、下記式４で表される糖鎖、
（５）チロキシン結合グロブリンに存在する、下記式３で表される糖鎖。
2020004244.tif 000020
（式１中、ｍ１は０〜２の整数を表す）
2020004244.tif 000021
（式２中、ｍ２は０又は１を表す）
2020004244.tif 000022
（式３中、ｎ１は０又は１を表す）
2020004244.tif 000023
2020004244.tif 000024
（式５中、ｎ２は０又は１を表す）
2020004244.tif 000025
【発明の効果】
【０００８】
本発明の膵臓癌の判定用マーカー及びこれを用いた膵臓癌の判定方法、並びに膵臓癌の判定を行うためのデータを得る方法によれば、確度（正確度・精度）の高い、膵臓癌の判定（診断、検査）を行うことができる。
【図面の簡単な説明】
【０００９】
【図１】糖ペプチドＡ、Ｂ及びＣのピーク面積値について、健常者（１１検体）の平均値及び膵臓癌患者（１０検体）の平均値を示した図である。
【図２】糖ペプチドＤ及びＥのピーク面積値について、健常者（１１検体）の平均値及び膵臓癌患者（１０検体）の平均値を示した図である。
【図３】糖ペプチドＦ及びＧのピーク面積値について、健常者（１１検体）の平均値及び膵臓癌患者（１０検体）の平均値を示した図である。
【図４】糖ペプチドＨのピーク面積値について、健常者（１１検体）の平均値及び膵臓癌患者（１０検体）の平均値を示した図である。
【図５】糖ペプチドＩのピーク面積値について、健常者（１１検体）の平均値及び膵臓癌患者（１０検体）の平均値を示した図である。
【図６】糖ペプチドＪのピーク面積値について、健常者（１１検体）の平均値及び膵臓癌患者（１０検体）の平均値を示した図である。
【図７】糖ペプチドＫ及びＬのピーク面積値について、健常者（１１検体）の平均値及び膵臓癌患者（１０検体）の平均値を示した図である。
【発明を実施するための形態】
【００１０】
＜本発明の膵臓癌の判定用マーカー＞
本発明の膵臓癌の判定用マーカー（以下、本発明のマーカーと略記する場合がある）は、下記（１）〜（５）から選ばれる糖鎖を含むものである。
（１）インターアルファトリプシンインヒビター重鎖Ｈ３に存在する、上記式５で表される糖鎖（以下、本発明のマーカー（１）と略記する場合がある）、
（２）ロイシンリッチアルファ２グリコプロテインに存在する、上記式６で表される糖鎖（以下、本発明のマーカー（２）と略記する場合がある）、
（３）ビトロネクチンに存在する、上記式１〜３で表される少なくとも１つの糖鎖（以下、本発明のマーカー（３）と略記する場合がある）、
（４）補体Ｃ４−Ａに存在する、上記式４で表される糖鎖（以下、本発明のマーカー（４）と略記する場合がある）、
（５）チロキシン結合グロブリンに存在する、上記式３で表される糖鎖（以下、本発明のマーカー（５）と略記する場合がある）。
尚、本発明のマーカーは、本発明のマーカー（１）〜（５）の何れかを単独で含むものでも、或いは複数種を含むものであってもよい。
【００１１】
以下に、本発明のマーカー（１）〜（５）についてそれぞれ説明する。
【００１２】
［本発明のマーカー（１）］
本発明のマーカー（１）は、インターアルファトリプシンインヒビター重鎖Ｈ３に存在する、下記式５で表される糖鎖を含むものである。
2020004244.tif 000026
（式５中、ｎ２は０又は１を表す）
尚、上記式５における、ＮｅｕＮＡｃはＮ−アセチルノイラミン酸、Ｇａｌはガラクトース、ＧｌｃＮＡｃはＮ−アセチルグルコサミン、Ｍａｎはマンノース、Ｆｕｃはフコースを表す。
以下、本明細書において同じ意味を表す。
尚、本発明のマーカー（１）としては、上記式５で表される何れかの糖鎖を単独で使用しても、複数種を組み合わせて使用してもよい。
【００１３】
本発明のマーカー（１）に係るインターアルファトリプシンインヒビター重鎖Ｈ３（Ｉｎｔｅｒ−ａｌｐｈａ−ｔｒｙｐｓｉｎ  ｉｎｈｉｂｉｔｏｒ  ｈｅａｖｙ  ｃｈａｉｎ  Ｈ３）とは、血漿中に存在するプロテアーゼインヒビターファミリーの１つであり、その機能は明らかにされていないが、胎児の着床等に関与していることが報告されている。
また、該インターアルファトリプシンインヒビター重鎖Ｈ３のアミノ酸配列は、例えば、Ｕｎｉｐｒｏｔ（アクセッション番号：Ｑ０６０３３）等のデータベースに登録されている。
本発明のマーカー（１）に係るインターアルファトリプシンインヒビター重鎖Ｈ３は、上記データベースに登録されているもののみならず、生体内で生じ得る変異体等も含む。例えば、該インターアルファトリプシンインヒビター重鎖Ｈ３において１〜５個、好ましくは１又は２個のアミノ酸が欠失、置換又は／及び付加されたものであって多型性や突然変異等により生じるものである。
但し、変異体等であっても、後述する本発明のマーカー（１）における式５で表される糖鎖と該インターアルファトリプシンインヒビター重鎖Ｈ３との結合部位である、該インターアルファトリプシンインヒビター重鎖Ｈ３のアミノ酸配列のＮ末端より５８０番目のアミノ酸残基（アスパラギン残基）が保存されているものが好ましい。
【００１４】
本発明のマーカー（１）における式５で表される糖鎖（末端のＮ−アセチルグルコサミン）は、インターアルファトリプシンインヒビター重鎖Ｈ３のアミノ酸配列のＮ末端より５８０番目のアミノ酸残基（アスパラギン残基）に結合（Ｎ−グリコシド結合）しているものが好ましい。
以下に、本発明のマーカー（１）における式５で表される糖鎖について説明する。
【００１５】
インターアルファトリプシンインヒビター重鎖Ｈ３に存在する式５で表される糖鎖
2020004244.tif 000027
（式５中、ｎ２は０又は１を表す）
上記式５におけるｎ２は、０又は１を表し、式５はそれぞれ、ｎ２が０の場合、下記式５−１を表し、ｎ２が１の場合、下記式５−２を表す。
上記式５としては、下記式５−１で表されるもの、又は下記式５−１で表されるものと下記式５−２で表されるものとの組み合わせが好ましい。
2020004244.tif 000028
2020004244.tif 000029
また、上記式５−１及び５−２で表される糖鎖としては、具体的には、例えば、下記式５−１’、５−１’’、５−２’、５−２’’等で表されるものが挙げられ、下記式５−１’で表されるものと下記式５−１’’で表されるものとの組み合わせ又は下記式５−１’で表されるものと、下記式５−１’’で表されるものと、下記式５−２’で表されるものと、下記式５−２’’で表されるものとの組み合わせが好ましい。
2020004244.tif 000030
2020004244.tif 000031
2020004244.tif 000032
2020004244.tif 000033
【００１６】
本発明のマーカー（１）、即ち、インターアルファトリプシンインヒビター重鎖Ｈ３に存在する式５で表される糖鎖を含む、マーカーとしては、（ｉ）インターアルファトリプシンインヒビター重鎖Ｈ３に存在する（由来する）式５で表される糖鎖そのもの、（ｉｉ）式５で表される糖鎖が結合したインターアルファトリプシンインヒビター重鎖Ｈ３、（ｉｉｉ）インターアルファトリプシンインヒビター重鎖Ｈ３の一部分であって、式５で表される糖鎖が結合したペプチド断片等が挙げられ、（ｉｉ）又は（ｉｉｉ）が好ましい。
尚、上記ペプチド断片とは、式５で表される糖鎖とインターアルファトリプシンインヒビター重鎖Ｈ３との結合部位である、インターアルファトリプシンインヒビター重鎖Ｈ３のアミノ酸配列のＮ末端より５８０番目のアミノ酸残基（アスパラギン残基）を少なくとも有する任意の断片であるのが好ましい。該ペプチド断片としては、具体的には、例えば、生体内で生じるものや、インターアルファトリプシンインヒビター重鎖Ｈ３をトリプシン、リシルエンドペプチダーゼ、ＡｓｐＮ等のプロテアーゼ処理に付した結果生じるものが挙げられ、より具体的には、例えば、２〜５０個のアミノ酸残基からなるもの等が挙げられ、配列番号３（アクセッション番号Ｑ０６０３３：５７２番〜５８４番）で表されるものが好ましい。
【００１７】
［本発明のマーカー（２）］
本発明のマーカー（２）は、ロイシンリッチアルファ２グリコプロテインに存在する、下記式６で表される糖鎖を含むものである。
2020004244.tif 000034
尚、本発明のマーカー（２）としては、上記式６で表される何れかの糖鎖を単独で使用しても、複数種を組み合わせて使用してもよい。
【００１８】
本発明のマーカー（２）に係るロイシンリッチアルファ２グリコプロテイン（Ｌｅｕｃｉｎｅ−ｒｉｃｈ  ａｌｐｈａ−２−ｇｌｙｃｏｐｒｏｔｅｉｎ）とは、血液に含まれるタンパク質であり、炎症性腸疾患等種々の疾患に関与していることが報告されている。また、ロイシンリッチアルファ２グリコプロテインのアミノ酸配列は、例えば、Ｕｎｉｐｒｏｔ（アクセッション番号：Ｐ０２７５０）等のデータベースに登録されている。
本発明のマーカー（２）に係るロイシンリッチアルファ２グリコプロテインは、上記データベースに登録されているもののみならず、生体内で生じ得る変異体等も含む。例えば、該ロイシンリッチアルファ２グリコプロテインにおいて１〜５個、好ましくは１又は２個のアミノ酸が欠失、置換又は／及び付加されたものであって多型性や突然変異等により生じるものである。
但し、変異体等であっても、後述する本発明のマーカー（２）における式６で表される糖鎖と該ロイシンリッチアルファ２グリコプロテインとの結合部位である、該ロイシンリッチアルファ２グリコプロテインのアミノ酸配列のＮ末端より１８６番目のアミノ酸残基（アスパラギン残基）が保存されているものが好ましい。
【００１９】
本発明のマーカー（２）における式６で表される糖鎖（末端のＮ−アセチルグルコサミン）は、ロイシンリッチアルファ２グリコプロテインのアミノ酸配列のＮ末端より１８６番目のアミノ酸残基（アスパラギン残基）に結合（Ｎ−グリコシド結合）しているものが好ましい。
以下に、本発明のマーカー（２）における式６で表される糖鎖について説明する。
【００２０】
ロイシンリッチアルファ２グリコプロテインに存在する式６で表される糖鎖
2020004244.tif 000035
また、上記式６で表される糖鎖としては、具体的には、例えば、下記式６−１で表されるものが好ましい。
2020004244.tif 000036
【００２１】
本発明のマーカー（２）、即ち、ロイシンリッチアルファ２グリコプロテインに存在する式６で表される糖鎖を含む、マーカーとしては、（ｉ）ロイシンリッチアルファ２グリコプロテインに存在する（由来する）式６で表される糖鎖そのもの、（ｉｉ）式６で表される糖鎖が結合したロイシンリッチアルファ２グリコプロテイン、（ｉｉｉ）ロイシンリッチアルファ２グリコプロテインの一部分であって、式６で表される糖鎖が結合したペプチド断片等が挙げられ、（ｉｉ）又は（ｉｉｉ）が好ましい。
尚、上記ペプチド断片とは、式６で表される糖鎖とロイシンリッチアルファ２グリコプロテインとの結合部位である、ロイシンリッチアルファ２グリコプロテインのアミノ酸配列のＮ末端より１８６番目のアミノ酸残基（アスパラギン残基）を少なくとも有する任意の断片である。該ペプチド断片としては、具体的には、例えば、生体内で生じるものや、ロイシンリッチアルファ２グリコプロテインをトリプシン、リシルエンドペプチダーゼ、ＡｓｐＮ等のプロテアーゼ処理に付した結果生じるものが挙げられ、より具体的には、例えば、２〜５０個のアミノ酸残基からなるもの等が挙げられ、配列番号４（アクセッション番号Ｐ０２７５０：１７９番〜１９１番）で表されるものが好ましい。
【００２２】
［本発明のマーカー（３）］
本発明のマーカー（３）は、ビトロネクチンに存在する、下記式１〜３で表される少なくとも１つの糖鎖を含むものである。
2020004244.tif 000037
（式１中、ｍ１は０〜２の整数を表す）
2020004244.tif 000038
（式２中、ｍ２は０又は１を表す）
2020004244.tif 000039
（式３中、ｎ１は０又は１を表す）
尚、本発明のマーカー（３）としては、上記式１〜３で表される何れかの糖鎖を単独で使用しても、複数種を組み合わせて使用してもよい。組み合わせる場合には、上記式１〜３から組み合わせても、上記式１のみの組み合わせ、上記式２のみの組み合わせ又は上記式３のみの組み合わせでもよい。
【００２３】
本発明のマーカー（３）に係るビトロネクチン（Ｖｉｔｒｏｎｅｃｔｉｎ）とは、血液や細胞外マトリックス等に存在する糖タンパク質であり、組織形成や神経細胞の分化等、生体において重要な役割を果たしている。また、該ビトロネクチンのアミノ酸配列は、例えば、Ｕｎｉｐｒｏｔ（アクセッション番号：Ｐ０４００４）等のデータベースに登録されている。
本発明のマーカー（３）に係るビトロネクチンは、上記データベースに登録されているもののみならず、生体内で生じ得る変異体等も含む。例えば、該ビトロネクチンにおいて１〜５個、好ましくは１又は２個のアミノ酸が欠失、置換又は／及び付加されたものであって多型性や突然変異等により生じるものである。
但し、変異体等であっても後述する本発明のマーカー（３）における式１〜３で表される糖鎖と該ビトロネクチンとの結合部位である、該ビトロネクチンのアミノ酸配列のＮ末端より１６９番目のアミノ酸残基（アスパラギン残基）が保存されているものが好ましい。
【００２４】
本発明のマーカー（３）における式１〜３で表される糖鎖（末端のＮ−アセチルグルコサミン）は、それぞれビトロネクチンのアミノ酸配列のＮ末端より１６９番目のアミノ酸残基（アスパラギン残基）に結合（Ｎ−グリコシド結合）しているものが好ましく、式１で表されるものがより好ましい。
以下に、本発明のマーカー（３）における式１〜３で表される糖鎖についてそれぞれ説明する。
【００２５】
ビトロネクチンに存在する式１で表される糖鎖
2020004244.tif 000040
（式１中、ｍ１は０〜２の整数を表す）
上記式１におけるｍ１は、０〜２の整数を表し、式１はそれぞれ、ｍ１が０の場合、下記式１−１を表し、ｍ１が１の場合、下記式１−２を表し、ｍ１が２の場合、下記式１−３を表す。
上記式１としては、ｍ１が０の場合、即ち、下記式１−１で表されるものが好ましい。
2020004244.tif 000041
2020004244.tif 000042
2020004244.tif 000043
また、上記式１−１、１−２及び１−３で表される糖鎖としては、具体的には、例えば、下記式１−１’、１−２’、１−３’等で表されるものが挙げられ、下記式１−１’で表されるものが好ましい。
2020004244.tif 000044
2020004244.tif 000045
2020004244.tif 000046
（式１−１’、１−２’及び１−３’中、α２−３／６は、α２−３グリコシド結合又はα２−６グリコシド結合を表す。以下、本明細書にて同じ意味を表す）
【００２６】
ビトロネクチンに存在する式２で表される糖鎖
2020004244.tif 000047
（式２中、ｍ２は０又は１を表す）
上記式２におけるｍ２は、０又は１を表し、式２はそれぞれ、ｍ２が０の場合、下記式２−１を表し、ｍ２が１の場合、下記式２−２を表す。
2020004244.tif 000048
2020004244.tif 000049
また、上記式２−１及び２−２で表される糖鎖としては、具体的には、例えば、下記式２−１’、２−１’’、２−２’等で表されるものが挙げられ、下記式２−１’で表されるもの又は式２−１’で表されるものと式２−１’’で表されるものとの組み合わせが好ましい。
2020004244.tif 000050
2020004244.tif 000051
2020004244.tif 000052
【００２７】
ビトロネクチンに存在する式３で表される糖鎖
2020004244.tif 000053
（式３中、ｎ１は０又は１を表す）
上記式３におけるｎ１は、０又は１を表し、式３はそれぞれ、ｎ１が０の場合、下記式３−１を表し、ｎ１が１の場合、下記式３−２を表す。
上記式３としては、ｎ１が１の場合、即ち、下記式３−２で表されるものが好ましい。
2020004244.tif 000054
2020004244.tif 000055
また、上記式３−１及び３−２で表される糖鎖としては、具体的には、例えば、下記式３−１’、３−２’等で表されるものが挙げられ、下記式３−２’で表されるものが好ましい。
2020004244.tif 000056
2020004244.tif 000057
【００２８】
本発明のマーカー（３）、即ち、ビトロネクチンに存在する式１〜３で表される少なくとも１つの糖鎖を含む、マーカーとしては、（ｉ）ビトロネクチンに存在する（由来する）式１〜３で表される少なくとも１つの糖鎖そのもの、（ｉｉ）式１〜３で表される少なくとも１つの糖鎖が結合したビトロネクチン、（ｉｉｉ）ビトロネクチンの一部分であって、式１〜３で表される少なくとも１つの糖鎖が結合したペプチド断片等が挙げられ、（ｉｉ）又は（ｉｉｉ）が好ましい。
尚、上記ペプチド断片とは、式１〜３で表される糖鎖とビトロネクチンとの結合部位である、ビトロネクチンのアミノ酸配列のＮ末端より１６９番目のアミノ酸残基（アスパラギン残基）を少なくとも有する任意の断片であるのが好ましい。該ペプチド断片としては、具体的には、例えば、生体内で生じるものや、ビトロネクチンをトリプシン、リシルエンドペプチダーゼ、ＡｓｐＮ等のプロテアーゼ処理に付した結果生じるものが挙げられ、より具体的には、例えば、２〜５０個のアミノ酸残基からなるもの等が挙げられ、配列番号１（アクセッション番号Ｐ０４００４：１６９番〜１７６番）で表されるものが好ましい。
【００２９】
［本発明のマーカー（４）］
本発明のマーカー（４）は、補体Ｃ４−Ａに存在する、下記式４で表される糖鎖を含むものである。
2020004244.tif 000058
尚、本発明のマーカー（４）としては、上記式４で表される何れかの糖鎖を単独で使用しても、複数種を組み合わせて使用してもよい。
【００３０】
本発明のマーカー（４）に係る補体Ｃ４−Ａ（ｃｏｍｐｌｅｍｅｎｔ  Ｃ４−Ａ）とは、血漿タンパク質の１つであり、肝細胞等で生産され、細菌等の感染防御に重要な役割を果たしている。また、該補体Ｃ４−Ａのアミノ酸配列は、例えば、Ｕｎｉｐｒｏｔ（アクセッション番号：Ｐ０Ｃ０Ｌ４）等のデータベースに登録されている。
本発明のマーカー（４）に係る補体Ｃ４−Ａは、上記データベースに登録されているもののみならず、生体内で生じ得る変異体等も含む。例えば、該補体Ｃ４−Ａにおいて１〜５個、好ましくは１又は２個のアミノ酸が欠失、置換又は／及び付加されたものであって多型性や突然変異等により生じるものである。
但し、変異体等であっても、後述する本発明のマーカー（４）における式４で表される糖鎖と該補体Ｃ４−Ａとの結合部位である、該補体Ｃ４−Ａのアミノ酸配列のＮ末端より１３２８番目のアミノ酸残基（アスパラギン残基）が保存されているものが好ましい。
【００３１】
本発明のマーカー（４）における式４で表される糖鎖（末端のＮ−アセチルグルコサミン）は、補体Ｃ４−Ａのアミノ酸配列のＮ末端より１３２８番目のアミノ酸残基（アスパラギン残基）に結合（Ｎ−グリコシド結合）しているものが好ましい。
以下に、本発明のマーカー（４）における式４で表される糖鎖について説明する。
【００３２】
補体Ｃ４−Ａに存在する式４で表される糖鎖
2020004244.tif 000059
また、上記式４で表される糖鎖としては、具体的には、例えば、下記式４−１で表されるものが好ましい。
2020004244.tif 000060
【００３３】
本発明のマーカー（４）、即ち、補体Ｃ４−Ａに存在する式４で表される糖鎖を含む、マーカーとしては、（ｉ）補体Ｃ４−Ａに存在する（由来する）式４で表される糖鎖そのもの、（ｉｉ）式４で表される糖鎖が結合した補体Ｃ４−Ａ、（ｉｉｉ）補体Ｃ４−Ａの一部分であって、式４で表される糖鎖が結合したペプチド断片等が挙げられ、（ｉｉ）又は（ｉｉｉ）が好ましい。
尚、上記ペプチド断片とは、式４で表される糖鎖と補体Ｃ４−Ａとの結合部位である、補体Ｃ４−Ａのアミノ酸配列のＮ末端より１３２８番目のアミノ酸残基（アスパラギン残基）を少なくとも有する任意の断片であるのが好ましい。該ペプチド断片としては、具体的には、例えば、生体内で生じるものや、補体Ｃ４−Ａをトリプシン、リシルエンドペプチダーゼ、ＡｓｐＮ等のプロテアーゼ処理に付した結果生じるものが挙げられ、より具体的には、例えば、２〜５０個のアミノ酸残基からなるもの等が挙げられ、配列番号２（アクセッション番号Ｐ０Ｃ０Ｌ４：１３２６番〜１３３６番）で表されるものが好ましい。
【００３４】
［本発明のマーカー（５）］
本発明のマーカー（５）は、チロキシン結合グロブリンに存在する、下記式３で表される糖鎖を含むものである。
2020004244.tif 000061
（式３中、ｎ１は０又は１を表す）
尚、本発明のマーカー（５）としては、上記式３で表される何れかの糖鎖を単独で使用しても、複数種を組み合わせて使用してもよい。
【００３５】
本発明のマーカー（５）に係るチロキシン結合グロブリン（Ｔｈｙｒｏｘｉｎｅ−ｂｉｎｄｉｎｇ  ｇｌｏｂｕｌｉｎ）とは、チロキシンに結合するタンパク質のことであり、甲状腺ホルモンの輸送等に関与していることが報告されている。また、チロキシン結合グロブリンのアミノ酸配列は、例えば、Ｕｎｉｐｒｏｔ（アクセッション番号：Ｐ０５５４３）等のデータベースに登録されている。
本発明のマーカー（５）に係るチロキシン結合グロブリンは、上記データベースに登録されているもののみならず、生体内で生じ得る変異体等も含む。例えば、該チロキシン結合グロブリンにおいて１〜５個、好ましくは１又は２個のアミノ酸が欠失、置換又は／及び付加されたものであって多型性や突然変異等により生じるものである。
但し、変異体等であっても後述する本発明のマーカー（５）における式３で表される糖鎖と該チロキシン結合グロブリンとの結合部位である、該チロキシン結合グロブリンのアミノ酸配列のＮ末端より３６番目のアミノ酸残基（アスパラギン残基）が保存されているものが好ましい。
【００３６】
本発明のマーカー（５）における式３で表される糖鎖（末端のＮ−アセチルグルコサミン）は、チロキシン結合グロブリンのアミノ酸配列のＮ末端より３６番目のアミノ酸残基（アスパラギン残基）に結合（Ｎ−グリコシド結合）しているものが好ましい。
尚、本発明のマーカー（５）における式３で表される糖鎖については、前述の通りであり、その具体例は同じであるが好ましい例としては、式上記３−１で表されるものが挙げられ、より好ましい例としては、上記式３−１’で表されるものが挙げられる。
【００３７】
本発明のマーカー（５）、即ち、チロキシン結合グロブリンに存在する式３で表される糖鎖を含む、マーカーとしては、（ｉ）チロキシン結合グロブリンに存在する（由来する）式３で表される糖鎖そのもの、（ｉｉ）式３で表される糖鎖が結合したチロキシン結合グロブリン、（ｉｉｉ）チロキシン結合グロブリンの一部分であって、式３で表される糖鎖が結合したペプチド断片等が挙げられ、（ｉｉ）又は（ｉｉｉ）が好ましい。
尚、上記ペプチド断片とは、式３で表される糖鎖とチロキシン結合グロブリンとの結合部位である、チロキシン結合グロブリンのアミノ酸配列のＮ末端より３６番目のアミノ酸残基（アスパラギン残基）を少なくとも有する任意の断片であるのが好ましい。該ペプチド断片としては、具体的には、例えば、生体内で生じるものや、チロキシン結合グロブリンをトリプシン、リシルエンドペプチダーゼ、ＡｓｐＮ等のプロテアーゼ処理に付した結果生じるものが挙げられ、より具体的には、例えば、２〜５０個のアミノ酸残基からなるものが挙げられ、配列番号５（アクセッション番号Ｐ０５５４３：２７番〜４１番）で表されるものが好ましい。
【００３８】
本発明のマーカーとしては、（ｉ）インターアルファトリプシンインヒビター重鎖Ｈ３に存在する、式５で表される糖鎖又は（ｉｉ）ロイシンリッチアルファ２グリコプロテインに存在する、式６で表される糖鎖が好ましく、（ｉｉｉ）インターアルファトリプシンインヒビター重鎖Ｈ３に存在する、式５で表される糖鎖がより好ましく、（ｉｖ）インターアルファトリプシンインヒビター重鎖Ｈ３のアミノ酸配列のＮ末端より５８０番目のアミノ酸残基（アスパラギン残基）に結合している式５で表される糖鎖が特に好ましい。
【００３９】
［本発明に係る膵臓癌］
本発明に係る膵臓癌とは、膵臓から発生した癌のことである。
本発明に係る膵臓癌には、具体的には、例えば、浸潤性膵管癌、膵腺房細胞癌、膵管内乳頭粘液性腫瘍等の外分泌性膵臓癌、神経内分泌腫瘍等の内分泌性膵臓癌等が含まれる。
【００４０】
＜本発明の膵臓癌の判定方法＞
本発明の膵臓癌の判定方法（以下、本発明の判定方法と略記する場合がある）は、試料中の、下記（１）〜（５）から選ばれる糖鎖の量を測定し（以下、本発明に係る測定工程と略記する場合がある）、得られた測定結果に基づいて膵臓癌を判定する（以下、本発明に係る判定工程と略記する場合がある）ことによりなされる。
（１）インターアルファトリプシンインヒビター重鎖Ｈ３に存在する、上記式５で表される糖鎖（本発明のマーカー（１））、
（２）ロイシンリッチアルファ２グリコプロテインに存在する、上記式６で表される糖鎖（本発明のマーカー（２））、
（３）ビトロネクチンに存在する、上記式１〜３で表される少なくとも１つの糖鎖（本発明のマーカー（３））、
（４）補体Ｃ４−Ａに存在する、上記式４で表される糖鎖（本発明のマーカー（４））、
（５）チロキシン結合グロブリンに存在する、上記式３で表される糖鎖（本発明のマーカー（５））
尚、本発明の判定方法としては、本発明のマーカー（１）〜（５）の何れか単独を用いてなされても、或いは複数種を用いてなされてもよい。
【００４１】
［本発明に係る試料］
本発明に係る試料としては、被検動物由来のものであればよく、例えば、血清、血漿、全血、尿、唾液、脳脊髄液、組織液、汗、涙、羊水、骨髄液、胸水、腹水、間接液、眼房水、硝子体液等の生体由来試料が挙げられ、血清、血漿、全血等の血液由来試料が好ましく、血清がより好ましい。
上記被検動物としては、ヒト、サル、マウス、ラット、イヌ、ネコ、ブタ、ウサギ、チンパンジー等の哺乳動物が挙げられ、ヒト、サル、マウス又はラットが好ましく、ヒトがより好ましい。
【００４２】
本発明に係る試料を被検動物から得る（採取する）方法は、特に限定されず、例えば、自体公知の方法に基づいて、該被検動物から該試料を得る（採取する）ことによりなされればよく、要すれば自体公知の方法に従って、分離、濃縮、精製等を行ってもよい。
尚、上記試料は、被検動物から得られた（採取された）直後のものであっても、該試料を保存したものであってもよい。試料を保存する方法としては、通常この分野で行われている方法であれば何れでもよい。
【００４３】
［本発明に係る測定工程］
本発明に係る測定工程は、下記（１）〜（５）から選ばれる糖鎖の量を測定することによりなされる。
（１）インターアルファトリプシンインヒビター重鎖Ｈ３に存在する、上記式５で表される糖鎖、
（２）ロイシンリッチアルファ２グリコプロテインに存在する、上記式６で表される糖鎖、
（３）ビトロネクチンに存在する、上記式１〜３で表される少なくとも１つの糖鎖、
（４）補体Ｃ４−Ａに存在する、上記式４で表される糖鎖、
（５）チロキシン結合グロブリンに存在する、上記式３で表される糖鎖
尚、本発明に係る測定工程としては、本発明のマーカー（１）〜（５）の何れか単独を測定することによりなされても、或いは複数種を測定することによりなされてもよい。
【００４４】
本発明に係る測定工程における上記（１）〜（５）から選ばれる糖鎖の量の測定とは、本発明のマーカー（１）〜（５）から選ばれる１つを測定することであり、具体的には、例えば、（ｉ）本発明のマーカーにおけるタンパク質に存在する（由来する）糖鎖そのものの量の測定、（ｉｉ）本発明のマーカーにおける糖鎖が結合したタンパク質の量の測定、（ｉｉｉ）本発明のマーカーにおけるタンパク質の一部分であって、糖鎖が結合したペプチド断片の量の測定等が挙げられ、（ｉｉ）又は（ｉｉｉ）が好ましい。
上記本発明のマーカーにおけるタンパク質とは、本発明のマーカーにおける糖鎖以外の部分を意味し、本発明のマーカー（１）であれば、インターアルファトリプシンインヒビター重鎖Ｈ３を意味し、本発明のマーカー（２）であれば、ロイシンリッチアルファ２グリコプロテインを意味し、本発明のマーカー（３）であれば、ビトロネクチンを意味し、本発明のマーカー（４）であれば、補体Ｃ４−Ａを意味し、本発明のマーカー（５）であれば、チロキシン結合グロブリンを意味する。
尚、上記「量」とは、容量、質量等の絶対値又は濃度、イオン強度、吸光度、蛍光強度、濁度、ピーク面積等から算出された値等の相対値の何れであってもよい。
【００４５】
本発明に係る測定工程における測定方法としては、通常この分野で行われているものであれば何れでもよく、具体的には、例えば、（Ａ）本発明のマーカーに対して親和性を有する物質（例えば、抗体、レクチン等）を用いる方法、（Ｂ）質量分析法を利用する方法等が挙げられ、（Ａ）が好ましい。
以下に、上記（Ａ）及び（Ｂ）についてそれぞれ具体的に説明する。
【００４６】
（Ａ）本発明のマーカーに対して親和性を有する物質を用いる方法
本発明のマーカーに対して親和性を有する物質を用いる方法としては、具体的には、例えば、酵素結合免疫吸着測定法（ＥＬＩＳＡ法）、酵素免疫測定法（ＥＩＡ法）、放射免疫測定法（ＲＩＡ法）、蛍光免疫測定法（ＦＩＡ法）、化学発光酵素免疫測定法（ＣＬＥＩＡ法）、電気化学発光免疫測定法（ＥＣＬＥＩＡ法）、免疫比濁法、免疫比ろう法、ラテックス凝集法、イムノクロマト法、ウェスタンブロット法、Ｌｕｍｉｎｅｓｃｅｎｔ  Ｏｘｙｇｅｎ  ＣｈａｎｎｅｌｉｎｇＩｍｍｕｎｏａｓｓａｙ（ＬＯＣＩ法）、Ｌｉｑｕｉｄ−ｐｈａｓｅ  Ｂｉｎｄｉｎｇ  Ａｓｓａｙ−ＥｌｅｃｔｒｏＫｉｎｅｔｉｃ  Ａｎａｌｙｔｅ  Ｔｒａｎｓｐｏｒｔ  Ａｓｓａｙ（ＬＢＡ−ＥＡＴＡ法）等の免疫学的測定法に準じた方法が挙げられる。
【００４７】
上記免疫学的測定法に準じた方法としては、具体的には、例えば、本発明のマーカーに対して親和性を有する物質と本発明のマーカーとを接触させて、本発明のマーカーに対して親和性を有する物質と本発明のマーカーとの複合体を形成させ、該複合体の量を測定することによりなされればよい。
【００４８】
上記本発明のマーカーに対して親和性を有する物質とは、本発明のマーカーにおけるタンパク質（又はペプチド断片）に特異的に結合する抗体や、本発明のマーカーにおける糖鎖に特異的に結合するレクチンや抗体等が挙げられる。
【００４９】
上記本発明のマーカーにおけるタンパク質（又はペプチド断片）に特異的に結合する抗体としては、具体的には、例えば、本発明のマーカー（１）であれば、抗インターアルファトリプシンインヒビター重鎖Ｈ３抗体、本発明のマーカー（２）であれば、抗ロイシンリッチアルファ２グリコプロテイン抗体、本発明のマーカー（３）であれば、抗ビトロネクチン抗体、本発明のマーカー（４）であれば、抗補体Ｃ４−Ａ抗体、本発明のマーカー（５）であれば、抗チロキシン結合グロブリン抗体等が挙げられる。
上記抗体は、ポリクローナル抗体、モノクローナル抗体の何れであってもよく、これらを単独で或いは組み合わせて用いてもよい。
上記抗体は、Ｆａｂ、Ｆ（ａｂ’２）、Ｆｖ、ｓＦｖ等の抗体フラグメントやダイアボディ、トリアボディ、テトラボディ等の合成抗体等であってもよい。
また、上記抗体は、市販の抗体を用いても、自体公知の方法に従って調製したものを用いてもよい。
尚、自体公知の方法に従って、上記抗体を調製する場合には、例えば、「免疫測定法」（生物化学的測定研究会編集、講談社、２０１４年）等に記載の方法に従ってなされればよい。
【００５０】
また、上記抗体は、標識物質で標識されたものであってもよい。該標識物質としては、具体的には、例えば、西洋ワサビペルオキシダーゼ（ＨＲＰ）、ウシ小腸アルカリホスファターゼ、β−ガラクトシダーゼ等の酵素、９９ｍＴｃ、１３１Ｉ、１２５Ｉ、１４Ｃ、３Ｈ、３２Ｐ、３５Ｓ等の放射性同位元素、フルオレセイン、フルオレセインイソチアシネート（ＦＩＴＣ）、４−メチルウンベリフェロン、ローダミン或いはこれらの誘導体等の蛍光性物質、ルシフェリン、ルミノール、ルテニウム錯体等の発光性物質、フェノール、ナフトール、アントラセン或いはこれらの誘導体等の紫外部に吸収を有する物質、４−アミノ−２，２，６，−テトラメチルピぺリジン−１−オキシル等のオキシル基を有する化合物に代表されるスピンラベル化剤としての性質を有する物質、ＨｉＬｙｔｅ系色素、Ａｌｅｘａ系色素、ＣｙＤｙｅ系色素等の色素、金コロイド、量子ドット等のナノ粒子等が挙げられる。
尚、上記標記物質を抗体に結合させる方法としては、自体公知の方法に従ってなされればよい。
【００５１】
上記本発明のマーカーにおける糖鎖に特異的に結合するレクチンとしては、具体的には、例えば、本発明のマーカー（１）であれば、上記式５で表される糖鎖のＧｌｃＮＡｃ（Ｎ−アセチルグルコサミン）に結合するＰｈａｓｅｏｌｕｓ  ｖｕｌｇａｒｉｓ  Ｌｅｕｃｏａｇｇｌｕｔｉｎｉｎ（ＰＨＡ−Ｌ）等、本発明のマーカー（２）であれば、上記式６で表される糖鎖のＭａｎ（マンノース）に結合するＧＮＬ、ＬＣＡ、ＰＳＡ、Ｃｏｎ  Ａ等、本発明のマーカー（３）であれば、上記式１で表される糖鎖のＭａｎ（マンノース）に結合するＧａｌａｎｔｈｕｓ  ｎｉｖａｌｉｓ  Ｌｅｃｔｉｎ（ＧＮＬ）、Ｌｅｎｓ  ｃｕｌｉｎａｒｉｓ  Ａｇｇｌｕｔｉｎｉｎ（ＬＣＡ）、Ｐｉｓｕｍ  ｓａｔｉｖｕｍ  Ａｇｇｌｕｔｉｎｉｎ（ＰＳＡ）、Ｃｏｎｃａｎａｖａｌｉｎ  Ａ（Ｃｏｎ  Ａ）等、上記式２で表される糖鎖のＦｕｃ（フコース）に結合するＡｌｅｕｒｉａ  ａｕｒａｎｔｉａ  Ｌｅｃｔｉｎ（ＡＡＬ）、Ｌｏｔｕｓ  Ｔｅｔｒａｇｏｌｏｎｏｂｕｓ  Ｌｅｃｔｉｎ（ＬＴＬ）等、上記式３で表される糖鎖のＮｅｕＮＡｃ（Ｎ−アセチルノイラミン酸）に結合するＳａｍｂｕｃｕｓ  Ｎｉｇｒａ  Ｌｅｃｔｉｎ（ＳＮＬ）、Ｍａａｃｋｉａ  ａｍｒｅｎｓｉｓ  Ｌｅｃｔｉｎ  ＩＩ（ＭＡＬ  ＩＩ）等、本発明のマーカー（４）であれば、上記式４で表される糖鎖のＦｕｃ（フコース）に結合するＡＡＬ、ＬＴＬ等、本発明のマーカー（５）であれば、上記式３で表される糖鎖のＮｅｕＮＡｃ（Ｎ−アセチルノイラミン酸）に結合するＭＡＬ  ＩＩ等が挙げられる。
【００５２】
上記レクチンは、標識物質で標識されたものであってもよく、該標識物質としては、上記本発明のマーカーにおけるタンパク質（又はペプチド断片）に特異的に結合する抗体にて説明した通りであり、具体例等も同じである。また、上記標識物質をレクチンに結合させる方法としては、自体公知の方法に従ってなされればよい。
【００５３】
上記本発明のマーカーにおける糖鎖に特異的に結合する抗体としては、具体的には、例えば、本発明のマーカー（１）であれば、上記式５で表される糖鎖に特異的に結合する抗体、本発明のマーカー（２）であれば、上記式６で表される糖鎖に特異的に結合する抗体、本発明のマーカー（３）であれば、上記式１で表される糖鎖に特異的に結合する抗体、上記式２で表される糖鎖に特異的に結合する抗体、上記式３で表される糖鎖に特異的に結合する抗体、本発明のマーカー（４）であれば、上記式４で表される糖鎖に特異的に結合する抗体、本発明のマーカー（５）であれば、上記式３で表される糖鎖に特異的に結合する抗体等が挙げられる。
【００５４】
上記抗体は、標識物質で標識されたものであってもよく、該標識物質としては、上記本発明のマーカーにおけるタンパク質（又はペプチド断片）に特異的に結合する抗体にて説明した通りであり、具体例等も同じである。
また、上記標識物質をレクチンに結合させる方法としては、自体公知の方法に従ってなされればよい。
【００５５】
上記本発明のマーカーに対して親和性を有する物質と本発明のマーカーとの複合体の量を測定する方法としては、該複合体の量を測定し得る方法であれば何れでもよく、具体的には、例えば、本発明のマーカーに対して親和性を有する物質に結合した標識物質に由来するシグナルを検出する方法、本発明のマーカーに対して親和性を有する物質と本発明のマーカーとの複合体に由来する性質を利用する方法等が挙げられ、本発明のマーカーに対して親和性を有する物質に結合した標識物質に由来するシグナルを検出する方法が好ましい。
【００５６】
上記本発明のマーカーに対して親和性を有する物質に結合した標識物質に由来するシグナルを検出する方法としては、具体的には、例えば、本発明のマーカーに対して親和性を有する物質に結合した標識物質に由来するシグナルを自体公知の方法により検出することによりなされればよい。例えば、標識物質が酵素の場合には、免疫測定法の常法、例えば「酵素免疫測定法」（蛋白質 核酸 酵素 別冊 Ｎｏ.３１、北川常廣・南原利夫・辻章夫・石川榮治編集、５１〜６３,共立出版、１９８７）等に記載された方法に準じて測定を行えばよく、標識物質が放射性物質の場合には、例えばＲＩＡで行われている常法に従い、該放射性物質の出す放射線の種類および強さに応じて液浸型ＧＭカウンター、液体シンチレーションカウンター、井戸型シンチレーションカウンター、ＨＰＬＣ用カウンター等の測定機器を適宜選択して使用し、測定を行えばよい（例えば医化学実験講座、第８巻、山村雄一監修、第１版、中山書店、１９７１等参照）。また、標識物質が蛍光物質の場合には、例えば蛍光光度計等の測定機器を用いるＦＩＡで行われている常法、例えば「図説 蛍光抗体、川生明著、第１版、ソフトサイエンス社、１９８３」等に記載された方法に準じて測定を行えばよく、標識物質が発光物質の場合にはフォトカウンター等の測定機器を用いる常法、例えば「酵素免疫測定法」（蛋白質 核酸 酵素 別冊 Ｎｏ.３１、北川常廣・南原利夫・辻章夫・石川榮治編集、２５２〜２６３、共立出版、１９８７）等に記載された方法に準じて測定を行えばよい。さらに、標識物質が紫外部に吸収を有する物質の場合には分光光度計等の測定機器を用いる常法によって測定を行えばよく、標識物質がスピンの性質を有する場合には電子スピン共鳴装置を用いる常法、例えば「酵素免疫測定法」（蛋白質 核酸 酵素 別冊 Ｎｏ.３１、北川常廣・南原利夫・辻章夫・石川榮治編集、２６４〜２７１、共立出版、１９８７）等に記載された方法に準じてそれぞれ測定を行えばよい。
【００５７】
上記本発明のマーカーに対して親和性を有する物質と本発明のマーカーとの複合体に由来する性質を利用する方法としては、具体的には、例えば、表面プラズモン共鳴法等のホモジニアスイムノアッセイ系等の方法等が挙げられる。
尚、上記方法の具体的な手法については、自体公知の手法に従ってなされればよい。
【００５８】
以下に、（Ａ）本発明のマーカーに対して親和性を有する物質を用いる方法について、より具体的に説明する。
尚、下記説明において、本発明のマーカーにおけるタンパク質（又はペプチド断片）を「標的タンパク質（又は標的ペプチド断片）」、本発明のマーカーにおける糖鎖を「標的糖鎖」と表記する。
例えば、本発明のマーカー（１）を測定する場合、インターアルファトリプシンインヒビター重鎖Ｈ３が「標的タンパク質（又は標的ペプチド断片）」を、式５で表される糖鎖が「標的糖鎖」を意味し、本発明のマーカー（２）を測定する場合、ロイシンリッチアルファ２グリコプロテインが「標的タンパク質（又は標的ペプチド断片）」を、式６で表される糖鎖が「標的糖鎖」、本発明のマーカー（３）を測定する場合、ビトロネクチンが「標的タンパク質（又は標的ペプチド断片）」、式１〜３で表される少なくとも１つの糖鎖が「標的糖鎖」を意味し、本発明のマーカー（４）を測定する場合、補体Ｃ４−Ａが「標的タンパク質（又は標的ペプチド断片）」を、式４で表される糖鎖が「標的糖鎖」を意味し、本発明のマーカー（５）を測定する場合、チロキシン結合グロブリンが「標的タンパク質（又は標的ペプチド断片）」を、式３で表される糖鎖が「標的糖鎖」を意味する。
【００５９】
上記（Ａ）本発明のマーカーに対して親和性を有する物質を用いる方法としては、具体的には、例えば、下記工程１及び２を含む方法が挙げられる。
（工程１）試料から標的糖鎖が結合した標的タンパク質（本発明のマーカー）を分離する工程、
（工程２）前記工程１で分離された標的糖鎖が結合した標的タンパク質の量を測定する工程
【００６０】
工程１としては、試料から標的糖鎖が結合した標的タンパク質を分離し得る方法であれば何れでもよく、具体的には、例えば、試料中に存在する標的糖鎖が結合した標的タンパク質と他の成分とを分離する方法が挙げられる。このような方法としては、具体的には、例えば、２種以上の親和性を有する物質、即ち、標的糖鎖に特異的に結合する物質、及び標的タンパク質に特異的に結合する物質を用いて、標的糖鎖が結合した標的タンパク質と親和性を有する物質との複合体（標的タンパク質に特異的に結合する物質−本発明のマーカー−標的糖鎖に特異的に結合する物質）を形成させ、自体公知の方法により、標的糖鎖が結合した標的タンパク質を分離すればよい。
尚、標識物質で標識された親和性を有する物質を用いる場合には、標的糖鎖が結合した標的タンパク質の分離は、標識物質で標識された親和性を有する物質と本発明のマーカーとの複合体の分離と言い換えてもよく、この場合、標識物質で標識された親和性を有する物質と本発明のマーカー以外の成分との複合体又は／及び遊離の標識物質で標識された親和性を有する物質とを分離すればよい。標識物質で標識された親和性を有する物質を構成成分として含まない成分との分離は不要である。
また、上記糖鎖に特異的に結合する親和性を有する物質及びタンパク質に特異的に結合する親和性を有する物質については、上述の通りであり、具体例等も同じである。
【００６１】
工程２としては、前記工程１で分離された標的糖鎖が結合した標的タンパク質を測定し得る方法であれば何れでもよく、具体例等は上述の通りである。
【００６２】
上記方法において、工程１を行う前に、予め試料中の全タンパク質（標的タンパク質を含む）をペプチド断片化し、工程１で標的糖鎖が結合した標的ペプチド断片を分離し、工程２で該標的糖鎖が結合した標的ペプチド断片を測定してもよい。
該断片化処理としては、具体的には、例えば、工程１を行う前に、試料にトリプシン、リシルエンドペプチダーゼ、ＡｓｐＮ等のプロテアーゼを加えることによりなされればよく、工程１で標的糖鎖に結合する物質、及び標的ペプチド断片に結合する物質をそれぞれ用いて、標的糖鎖が結合した標的ペプチド断片と親和性を有する物質との複合体（標的ペプチド断片に特異的に結合する物質−本発明のマーカー−標的糖鎖に特的に結合する物質）を形成させ、該複合体を上述の如く分離した後、該複合体の量を測定すればよい。
【００６３】
また、上記全タンパク質の断片化を行った場合、該断片化に引き続いて、レクチンカラム等のカラムによる濃縮を行ってもよい。該濃縮は自体公知の方法に従ってなされればよく、市販のレクチンカラム等のカラムを用いればよい。
【００６４】
更に、上記方法において、工程２のかわりに、工程１で分離された標的糖鎖が結合した標的タンパク質から標的糖鎖を分離し、該標的糖鎖のみを測定してもよい。
具体的には、例えば、工程１で分離された標的糖鎖が結合した標的タンパク質を、グリカナーゼ、ヒドラジン等にて処理することにより標的糖鎖を分離した後、該糖鎖の量のみを上述の如く測定すればよい。
【００６５】
（Ｂ）質量分析法を利用する方法
質量分析法を利用する方法としては、具体的には、例えば、液体クロマトグラフィー質量分析計（ＬＣ／ＭＳ）、キャピラリー電気泳動質量分析計（ＣＥ／ＭＳ）、ガスクロマトグラフィー質量分析計（ＧＣ／ＭＳ）、液体クロマトグラフィータンデム型質量分析計（ＬＣ／ＭＳ／ＭＳ）等を利用する方法が挙げられる。
上記方法としては、具体的には、例えば、液体クロマトグラフ等のクロマトグラフを有する分離部にて、試料中の成分を分離し、分離された種々の成分を質量分析部にてイオン化させ、更に質量電荷比（ｍ／ｚ）毎に分離することによりなされればよい。
尚、上記質量分析法を利用する方法における具体的な手法は自体公知の手法やＷＯ２０１４／０３８５２４、ＷＯ２０１７／１９５８８、ＷＯ２０１８／０３４３４６等に記載の手法に従ってなされればよい。
【００６６】
上記質量分析法を利用する方法において、試料から予め全タンパク質を抽出してもよく、その方法としては、具体的には、例えば、試料に、アセトン、メタノール、エタノール、トリクロロ酢酸、塩酸水溶液等の溶媒を用いて全タンパク質を沈殿させることによりなされればよい。
【００６７】
また、必要に応じ、試料から全タンパク質を抽出する前又は後に、全タンパク質を断片化してもよく、断片化を行った場合、該断片化に引き続いて、レクチンカラム等のカラムによる濃縮を行ってもよい。該断片化及び濃縮については、上述の通りである。
【００６８】
［好ましい測定工程］
本発明に係る測定工程では、（ｉ）インターアルファトリプシンインヒビター重鎖Ｈ３に存在する、式５で表される糖鎖の量又は（ｉｉ）ロイシンリッチアルファ２グリコプロテインに存在する、式６で表される糖鎖の量を測定することが好ましく、（ｉｉｉ）インターアルファトリプシンインヒビター重鎖Ｈ３に存在する、式５で表される糖鎖の量を測定することがより好ましく、（ｖｉ）インターアルファトリプシンインヒビター重鎖Ｈ３のアミノ酸配列のＮ末端より５８０番目のアミノ酸残基（アスパラギン残基）に結合している式５で表される糖鎖の量を測定することが更に好ましい。
また、上記測定を行う場合には、本発明のマーカーに対して親和性を有する物質を用いる方法が好ましく、ＥＬＩＳＡ法、ＥＩＡ法、ＲＩＡ法、ＦＩＡ法、ＣＬＥＩＡ法、ＥＣＬＥＩＡ法、免疫比濁法、免疫比ろう法、ラテックス凝集法、イムノクロマト法、ウェスタンブロット法、ＬＯＣＩ法、ＬＢＡ−ＥＡＴＡ法等の免疫学的測定法に準じた方法がより好ましく、本発明のマーカーに対して親和性を有する物質と本発明のマーカーとを接触させて、本発明のマーカーに対して親和性を有する物質と本発明のマーカーとの複合体を形成させ、該複合体の量を測定する方法が更に好ましく、本発明のマーカーに対して親和性を有する物質と本発明のマーカーとを接触させて、本発明のマーカーに対して親和性を有する物質と本発明のマーカーとの複合体を形成させ、該複合体に結合した標識物質に由来するシグナルを検出する方法が特に好ましい。
【００６９】
［本発明に係る判定工程］
本発明に係る判定工程は、本発明に係る測定工程により得られた測定結果に基づいて膵臓癌を判定する工程である。
【００７０】
本発明に係る判定工程は、具体的には、例えば、被検動物由来の試料を用いて本発明に係る測定工程により得られた値（以下、被検動物由来の値と略記する場合がある）と予め設定した基準値（カットオフ値等）とを用いてなされる。
即ち、（ｉ）被検動物由来の値が、予め設定した基準値（カットオフ値等）以上の場合、「被検動物が膵臓癌に罹患しているおそれがある、或いは被検動物が膵臓癌に罹患しているおそれが高い」等の判定を下すことができ、（ｉｉ）被検動物由来の値が、予め設定した基準値（カットオフ値等）未満の場合、「被検動物が膵臓癌に罹患しているおそれはない、或いは膵臓癌に罹患しているおそれが低い」等の判定を下すことができる。
また、別の態様として、（ｉ）被検動物由来の値が、予め設定した基準値（カットオフ値等）以下の場合、「被検動物が膵臓癌に罹患しているおそれがある、或いは被検動物が膵臓癌に罹患しているおそれが高い」等の判定を下すことができ、（ｉｉ）被検動物由来の値が、予め設定した基準値（カットオフ値等）超の場合、「被検動物が膵臓癌に罹患しているおそれはない、或いは膵臓癌に罹患しているおそれが低い」等の判定を下すことができる。
尚、上記基準値（カットオフ値等）は、膵臓癌に罹患している動物由来の試料を用いて本発明に係る測定工程により得られた測定値と健常動物由来の試料を用いて本発明に係る測定工程により得られた値（以下、健常動物由来の値と略記する場合がある）とを用いてＲＯＣ（Ｒｅｃｅｉｖｅｒ  Ｏｐｅｒａｔｉｎｇ  Ｃｈａｒａｃｔｅｒｉｓｔｉｃ）曲線解析等の統計解析に基づいて決定することができる。
また、上記基準値（カットオフ値等）の感度又は／特異度は、例えば６０％以上、好ましくは７０％以上、より好ましくは８０％以上、更に好ましくは９０％以上である。
【００７１】
別の形態として、被検動物由来の値と健常動物由来の値とを比較し、（ｉ）被検動物由来の値が、健常動物由来の値より多い場合、「被検動物が膵臓癌に罹患しているおそれがある、或いは被検動物が膵臓癌に罹患しているおそれが高い」等の判定を下すことができ、（ｉｉ）被検動物由来の値と、健常動物由来の値との間に顕著な差が認められない場合、「被検動物が膵臓癌に罹患しているおそれはない、或いは膵臓癌に罹患しているおそれが低い」等の判定を下すことができる。
【００７２】
更に別の形態として、同一の被検動物において、ある時点における被検動物由来の値と、異なる時点での被検動物由来の値とを比較し、該値の有無又は／及び増減の程度を評価することにより、膵臓癌の進行度、悪性度の診断、術後の予後診断等が可能である。即ち、（ｉ）値の増加が認められた場合、膵臓癌へ病態が進行した（或いは膵臓癌の悪性度が増した）、又は膵臓癌への病態の進行の兆候が認められる（或いは膵臓癌の悪性度が増す兆候が認められる）等の判定を下すことができ、（ｉｉ）値の減少が認められた場合、膵臓癌の病態が改善した、又は膵臓癌の病態の改善の兆候が認められる等の判定を下すことができる。
【００７３】
尚、本発明に係る測定工程にて本発明のマーカーを複数種測定した場合は、得られた複数の値を用いて上述の通りに本発明に係る判定工程を行えばよく、より確度（正確度・精度）の高い判定が可能となる。
【００７４】
＜本発明の膵臓癌の判定を行うためのデータを得る方法＞
本発明の膵臓癌の判定を行うためのデータを得る方法（以下、本発明のデータを得る方法と略記する場合がある）は、試料中の下記（１）〜（５）から選ばれる糖鎖の量を測定することによりなされる。
（１）インターアルファトリプシンインヒビター重鎖Ｈ３に存在する、上記式５で表される糖鎖、
（２）ロイシンリッチアルファ２グリコプロテインに存在する、上記式６で表される糖鎖、
（３）ビトロネクチンに存在する、上記式１〜３で表される少なくとも１つの糖鎖、
（４）補体Ｃ４−Ａに存在する、上記式４で表される糖鎖、
（５）チロキシン結合グロブリンに存在する、上記式３で表される糖鎖
即ち、本発明のデータを得る方法は、本発明のマーカー、言い換えると、本発明のマーカー（１）〜（５）から選ばれるものを測定することによりなされる。
尚、本発明のデータを得る方法としては、本発明のマーカー（１）〜（５）の何れか単独を用いてなされても、或いは複数種を用いてなされてもよい。
【００７５】
本発明のデータを得る方法におけるデータとしては、（ｉ）本発明のデータを得る方法により得られた本発明のマーカーの量の値、（ｉｉ）該値を更に多重ロジスティック回帰分析、判別分析、ポアソン回帰分析、重回帰分析、コックスの比例ハザードモデル、パス解析等の多変量解析に付して得られる値、（ｉｉｉ）本発明のデータを得る方法により得られた本発明のマーカーの量の値と前述の基準値（カットオフ値等）との大小関係を示すデータ（比較結果）、（ｉｖ）被験動物が膵臓癌に罹患しているおそれがある、或いは被検動物が膵臓癌に罹患しているおそれが高い等を示唆するデータ等が挙げられ、（ｉ）又は（ｉｉｉ）が好ましく、（ｉ）がより好ましい。
尚、本発明のデータを得る方法における、本発明のマーカー、該マーカーの測定、膵臓癌及び試料については、＜本発明のマーカー＞及び＜本発明の判定方法＞にて説明した通りであり、具体例、好ましい例等も同じである。
【００７６】
＜本発明の膵臓癌の判定用キット＞
本発明の膵臓癌の判定用キット（以下、本発明のキットと略記する場合がある）は、下記（１）〜（５）から選ばれる糖鎖に親和性を有する物質を含むものである。
（１）インターアルファトリプシンインヒビター重鎖Ｈ３に存在する、上記式５で表される糖鎖、
（２）ロイシンリッチアルファ２グリコプロテインに存在する、上記式６で表される糖鎖、
（３）ビトロネクチンに存在する、上記式１〜３で表される少なくとも1つの糖鎖、
（４）補体Ｃ４−Ａに存在する、上記式４で表される糖鎖、
（５）チロキシン結合グロブリンに存在する、上記式３で表される糖鎖
本発明のキットは、本発明のマーカー、言い換えると、本発明のマーカー（１）〜（５）にそれぞれ親和性を有する物質を含むものである。
尚、本発明のキットにおける、本発明のマーカー及び膵臓癌については、＜本発明のマーカー＞及び＜本発明の判定方法＞にて説明した通りであり、具体例、好ましい例等も同じである。
【００７７】
上記親和性を有する物質とは、本発明のマーカーにおける糖鎖やタンパク質（又はペプチド断片）に特異的に結合するものであり、レクチン、抗体等が挙げられる。
上記親和性を有する物質については、＜本発明の判定方法＞にて説明した通りであり、具体例、好ましい例等も同じである。
【００７８】
本発明のキットには、更に、通常この分野で用いられる試薬類、例えば、トリプシン、リシルエンドペプチダーゼ、ＡｓｐＮ等のペプチド断片化用試薬、レクチンカラム等の濃縮用カラム、タンパク質抽出用溶媒、緩衝剤、洗浄剤、反応促進剤、糖類、タンパク質、塩類、界面活性剤等の安定化剤、防腐剤、試料を希釈するための液、レクチン固定化固相、抗体固定化固相、抗原固定化固相等の固定化固相、標識物質で標識された二次抗体又は該二次抗体の断片、標識物質検出用試薬等であって、共存する試薬等の安定性を阻害しないものが含まれていてもよい。また、その濃度、pHも通常この分野で用いられている範囲であればよい。
【００７９】
上記レクチン固定化固相、抗体固定化固相、抗原固定化固相等の固定化固相としては、磁性シリカ粒子等の磁性粒子、ポリスチレン、ポリカーボネート、ポリビニルトルエン、ポリプロピレン、ポリエチレン、ポリ塩化ビニル、ナイロン、ポリメタクリレート、ゼラチン、アガロース、セルロース、ポリエチレンテレフタレート、ガラス、セラミック等の素材に、本発明のマーカーにおけるタンパク質（又はペプチド断片）や糖鎖に特異的に結合する親和性を有する物質（レクチン、抗体又は該抗体の断片等）を固相化したものであれば何れでもよい。
尚、上記レクチン固定化固相、抗体固定化固相、抗原固定化固相等の固定化固相における素材については、自体公知の方法により製造されたものを用いても、市販のものを用いてもよい。例えば、自体公知の方法により上記磁性シリカ粒子等の磁性粒子を製造する場合、ＷＯ２０１２／１７３００２に記載の方法により製造することができる。
【００８０】
上記標識物質で標識された二次抗体又はその抗体断片とは、上記固相化された親和性を有する物質（レクチン、抗体又は該抗体の断片等）にそれぞれ結合する抗体又はその抗体断片である。
尚、上記標識物質で標識された二次抗体又はその抗体断片における、標識物質及び標識物質を結合させる方法については、＜本発明の判定方法＞にて説明した通りであり、好ましい例、具体例等も同じである。
【００８１】
上記標識物質検出用試薬とは、レクチン、抗体又は該抗体の断片等の親和性を有する物質が標識物質で標識されている場合、標識物質で標識されたレクチン、抗体又は該抗体の断片等の親和性を有する物質中の標識又は／及び上記標識された二次抗体又は該二次抗体の断片中の標識を検出するものであり、テトラメチルベンジジン、オルトフェニレンジアミン等の吸光度測定用基質、ヒドロキシフェニルプロピオン酸、ヒドロキシフェニル酢酸等の蛍光基質、ルミノール等の発光物質が挙げられ、4-ニトロフェニルフォスフェート等の吸光度測定用試薬、4-メチルウンベリフェリルフォスフェート等の蛍光基質等が挙げられる。
【００８２】
更に、本発明のキットには、本発明の判定方法又は／及びデータを得る方法を行うための説明書等を含まれていてもよい。当該「説明書」とは、本発明の判定方法又は／及びデータを得る方法の特徴、原理、操作手順、判定手順等が文章又は／及び図表により実質的に記載されている本発明に係る試薬の取扱い説明書、添付文書、パンフレット（リーフレット）等を意味する。
【００８３】
このように本発明のキットによれば、本発明の判定方法又は／及び本発明のデータを得る方法を簡便、短時間且つ精度よく行うことができる。
【００８４】
＜本発明に係る膵臓癌の判定を行うための装置＞
本発明に係る膵臓癌の判定を行うための装置（以下、本発明に係る判定装置と略記する場合がある）は、少なくとも（１）測定部を備えている。更に、（２）判定部、（３）出力部及び（４）入力部を備えていてもよい。
【００８５】
本発明に係る判定装置における（１）測定部は、試料中の上記本発明のマーカー（１）〜（５）から選ばれる糖鎖の量を測定するように構成されている。具体的には、例えば、本発明に係る測定工程にて用いられる各種質量分析計、免疫学的測定法に準じた方法に用いられる装置等の測定装置が挙げられる。
尚、要すれば、（１）測定部では、測定された測定値に基づいて、上記本発明のマーカー（１）〜（５）の量を算出するように構成されていてもよい。
【００８６】
本発明に係る判定装置における（２）判定部は、（１）測定部にて得られる結果に基づいて膵臓癌を判定するように構成されている。
【００８７】
本発明に係る判定装置における（３）出力部は、（１）測定部にて得られる結果又は／及び（２）判定部にて得られる結果を出力するよう構成されている。
【００８８】
本発明に係る判定装置における（４）入力部は、操作する者の操作を受けて、（１）測定部へ、当該（１）測定部を作動させるための信号を送るよう構成されている。
【００８９】
尚、上記本発明に係る判定装置の（１）測定部及び（２）判定部によりなされる測定、判定等については、＜本発明の判定方法＞にて説明した通りであり、好ましい例、具体例等も同じである。
【００９０】
上記本発明に係る判定装置によれば、本発明の判定方法又は／及び本発明のデータを得る方法を簡便、短時間且つ精度よく行うことができる。
【００９１】
＜本発明に係る膵臓癌の判定を補助する方法＞
本発明に係る膵臓癌の判定を補助する方法（以下、本発明に係る補助方法と略記する場合がある）は、試料中の上記本発明のマーカー（１）〜（５）から選ばれる糖鎖の量を測定し、得られた測定結果に基づいて膵臓癌の判定を補助することによりなされる。
本発明に係る補助方法は、医師等による膵臓癌の診断を補助する方法として用いることができる。
尚、本発明に係る補助方法における試料、マーカー、測定、判定等については、＜本発明の判定方法＞にて説明した通りであり、好ましい例、具体例等も同じである。
【００９２】
＜本発明に係る膵臓癌を判定し、治療する方法＞
本発明に係る膵臓癌を判定し、治療する方法（以下、本発明に係る治療方法と略記する場合がある）は、試料中の本発明のマーカー（１）〜（５）から選ばれる糖鎖の量を測定し、得られた測定結果に基づいて膵臓癌を判定し、その判定結果に基づいて膵臓癌のおそれがある又は膵臓癌のおそれが高いと判定された患者に適切な治療を施すことによりなされる。
尚、本発明に係る治療方法における試料、マーカー、測定、判定等については、＜本発明の判定方法＞にて説明した通りであり、好ましい例、具体例等も同じである。
本発明に係る治療方法における適切な治療としては、具体的には、例えば、膵頭十二指腸切除術、膵体尾部切除術、膵全摘術、バイパス手術等の外科療法、化学放射線療法等の放射線治療、ユーエフティ（商品名）等の薬剤を投与することによりなされる薬物療法等が挙げられる。
【００９３】
以下、実施例に基づいて本発明をより具体的に説明するが、本発明は実施例によって何ら限定されるものではない。
【実施例】
【００９４】
実施例１．膵臓癌マーカーの選別
［（１）検体（サンプル）］
横浜市立大学センター病院及び横浜市立大学先端医科学研究センターバイオバンクより提供された、膵臓癌患者由来の血清（１０検体）及び健常者由来の血清（１１検体）を検体（サンプル）として用いた。【００９５】
［（２）糖ペプチドの調製］
上記（１）の膵臓癌患者由来の血清及び健常者由来の血清  １０μＬを、Ｈｉｇｈ−Ｓｅｌｅｃｔ  Ｔｏｐ１４  Ａｂｕｎｄａｎｔ  Ｐｒｏｔｅｉｎ  Ｄｅｐｌｅｔｉｏｎ  Ｒｅｓｉｎ（ＴｈｅｒｍｏＦｉｓｈｅｒ  Ｓｃｉｅｎｔｉｆｉｃ社製）にそれぞれ入れ、２５℃で１０分間インキュベートすることにより、ａｌｂｕｍｉｎ、ｉｍｍｕｎｏｇｌｏｂｕｌｉｎ等の血清中に存在する夾雑タンパク質を除去した。次いで、アセトン  ４０μＬをそれぞれ加え、−２０℃で１６時間インキュベートした後、１４０００ｒｐｍで遠心分離した。上清を除去後、沈殿物に８Ｍ尿素含有５０ｍＭトリス塩酸バッファー（ｐＨ８．０）  ５０μＬをそれぞれ加え溶解し、プロテインアッセイＢＣＡキット（富士フイルム和光純薬社製）にてタンパク質濃度をそれぞれ測定した。測定後、タンパク質試料  ２０μｇに、５００ｍＭジチオスレイトール  １μＬをそれぞれ加え、３７℃で３０分間インキュベートした。次いで、５００ｍＭヨードアセトアミド  ２．８μＬをそれぞれ加え、３７℃で３０分間インキュベートすることにより、還元アルキル化を行った（尚、該還元アルキル化は、５００ｍＭジチオスレイトール  ０．５μＬを加えることにより、その反応を停止させた）。その後、Ｚｅｂａ  Ｓｐｉｎ  Ｄｅｓａｌｔｉｎｇ  ｃｏｌｕｍｎ（０．５ｍＬ；ＴｈｅｒｍｏＦｉｓｈｅｒ  Ｓｃｉｅｎｔｉｆｉｃ社製）にて５０ｍＭトリス塩酸バッファー（ｐＨ８．０）  １３０μＬに溶媒置換し、変性剤及び還元剤をそれぞれ除去した。次いで、タンパク質試料  １μｇに、Ｔｒｙｐｓｉｎ／Ｌｙｓ−Ｃ  Ｍｉｘ（プロメガ社製）をそれぞれ加え、３７℃で１６時間インキュベートした。その後、Ｏａｓｉｓ  ＰＲｉＭＥ  ＨＬＢ固相抽出カラム（Ｗａｔｅｒｓ社製）にて脱塩を行い、遠心エバポレーターにて乾固し、糖ペプチドを得た。【００９６】
［（３）糖ペプチドの濃縮］
上記（２）で調製した２１検体分（膵臓癌患者：１０検体、健常者：１１検体）の各糖ペプチド  １０μｇについて、下記手順に従い、濃縮した。
（Ａ）ＷＯ２０１７／１９５８８７記載の糖ペプチド濃縮カラムに、０．１％ＴＦＡ溶液  １００μＬを入れ、２００μＬチップ専用の卓上遠心機にセットし、該溶液をカラムに通過させ、ポリマー性ポリオール層を洗浄した。
（Ｂ）カラムに、８０％アセトニトリル／０．１％ＴＦＡ溶液  １００μＬを入れ、２００μＬチップ専用の卓上遠心機にセットし、該溶液をカラムに通過させ、固相抽出担体相を洗浄した。
（Ｃ）カラムに、８０％アセトニトリル／０．１％ＴＦＡ溶液  １００μＬを入れ、２００μＬチップ専用の卓上遠心機にセットし、２秒間遠心することによりカラム内の空気を除いた。
（Ｄ）カラム内の８０％アセトニトリル／０．１％ＴＦＡ溶液に、上記（２）で調製した糖ペプチド試料  １０μｇを加え、２００μＬチップ専用の卓上遠心機にセットし、２０秒間遠心した。
（Ｅ）カラムに、８０％アセトニトリル／０．１％ＴＦＡ溶液  １００μＬを加え、２００μＬチップ専用の卓上遠心機にセットし、２０秒間遠心し、夾雑物を除去した。
（Ｆ）上記（Ｅ）を更に２回繰り返した。
（Ｇ）カラムに、０．１％ＴＦＡ  １００μＬを加え、２００μＬチップ専用の卓上遠心機にセットし、３０秒間遠心し、固相抽出担体相に糖ペプチドを濃縮させた。
（Ｈ）カラムに、８０％アセトニトリル／０．１％ＴＦＡ溶液  １００μＬを加え、アダプター付きのシリンジを用いて１．５ｍＬチューブに糖ペプチドを溶出させた後、遠心エバポレーターにて乾燥し、濃縮した糖ペプチドを得た。【００９７】
［（４）脱糖鎖ペプチドの調製］
上記（３）で調製した濃縮糖ペプチド試料  ５μｇを、５０ｍＭリン酸ナトリウム緩衝液（ｐＨ７．４）  １０μＬに溶解し、１ＵのＰＮＧａｓｅ  Ｆ（ロシュ社製）  １μＬ加え、３７℃にて１６時間インキュベートすることにより、Ｎ結合型糖鎖を切断した。次いで、Ｏａｓｉｓ  ＰＲｉＭＥ  ＨＬＢ固相抽出カラム（Ｗａｔｅｒｓ社製）にて脱塩した後、遠心エバポレーターで乾固し、脱糖鎖ペプチドを得た。【００９８】
［（５）ナノ液体クロマトグラフィー質量分析（ｎａｎｏＬＣ／ＭＳ／ＭＳ）による解析］
上記（３）で調製した濃縮糖ペプチドを、０．１％ギ酸  ４μＬに２．５μｇ／μＬとなるようにそれぞれ溶解し、糖ペプチド試料とした。また、上記（４）で調製した脱糖鎖ペプチドを、０．１％ギ酸  ４μＬに１．２５μｇ／μＬとなるようにそれぞれ溶解し、脱糖鎖ペプチド試料とした。
上記糖ペプチド試料及び脱糖鎖ペプチド試料について、ナノ液体クロマトグラフィー質量分析（ｎａｎｏＬＣ／ＭＳ／ＭＳ）による解析（分離／分析）を行った。
具体的には、分析カラム（Ｎａｎｏ  ＨＰＬＣ  ｃａｐｉｌｌａｒｙ  ｃｏｌｕｍｎ；日京テクノス社製）を装着したナノ液体クロマトグラフ（ＥＡＳＹ−ｎＬＣ  １０００；ＴｈｅｒｍｏＦｉｓｈｅｒ  Ｓｃｉｅｎｔｉｆｉｃ社製）を、ハイブリッド四重極オービトラップ質量分析計（Ｑ  Ｅｘａｃｔｉｖｅ；ＴｈｅｒｍｏＦｉｓｈｅｒ  Ｓｃｉｅｎｔｉｆｉｃ社製）に接続し、上記糖ペプチド試料  ４μＬを分析カラムにインジェクションした後、流速３００ｎＬ／ｍｉｎで該糖ペプチド試料の分離を行った。
尚、Ａ溶媒として、０．１％ギ酸水溶液、Ｂ溶媒として、０．１％ギ酸アセトニトリルを用い、０分〜７０分でＢ溶媒０％からＢ溶媒３５％のリニアグラジエント、７０分〜７５分でＢ溶媒３５％からＢ溶媒１００％のリニアグラジエントを用いた。また、全測定を通して、ポジティブイオンモード（印加電圧：１９００Ｖ）とした。
上記脱糖鎖ペプチドについては、上記と同様にしてそれぞれ分離した後、Ｐｒｏｔｅｏｍｅ  Ｄｉｓｃｏｖｅｒｅｒ  １．４（ＴｈｅｒｍｏＦｉｓｈｅｒ  Ｓｃｉｅｎｔｉｆｉｃ社製）を用いて該脱糖鎖ペプチドにおける糖鎖結合部位を同定した。
更に、上記情報を基に、糖ペプチドの質量と保持時間より、糖ペプチドの構造を確認した。【００９９】
［（６）結果］
上記（１）〜（５）により、下記表１に示す通り、ビトロネクチン、補体Ｃ４−Ａ、インターアルファトリプシンインヒビター重鎖Ｈ３、ロイシンリッチアルファ２グリコプロテイン及びチロキシン結合グロブリンにそれぞれ由来する糖ペプチドＡ〜Ｌが同定された。
また、上記糖ペプチドＡ〜Ｌのピーク面積値について、健常者（１１検体）の平均値及び膵臓癌患者（１０検体）の平均値を図１〜７にそれぞれ示す。【０１００】
【表１】
2020004244.tif 000062
【０１０１】
上記表１及び図１より、ビトロネクチンに由来する、（ｉ）式１−１’で表される糖鎖を有する糖ペプチドＡ（健常者平均ピーク面積値：７３９０７２３、膵臓癌患者平均ピーク面積値：１８５３１３５８）、（ｉｉ）式１−２’で表される糖鎖を有する糖ペプチドＢ（健常者平均ピーク面積値：１４８６９１６７、膵臓癌患者平均ピーク面積値：３２７９５９４０）及び（ｉｉｉ）式１−３’で表される糖鎖を有する糖ペプチドＣ（健常者平均ピーク面積値：３９３７７５９、膵臓癌患者平均ピーク面積値：８９１００１９）の発現量は、健常者と比べて、膵臓癌患者において顕著に増加していることが分かった。
また、上記式１−１’、式１−２’及び式１−３’で表される糖鎖は、ビトロネクチンのアミノ酸配列のＮ末端より１６９番目のアスパラギン残基にそれぞれ結合していることを確認した。【０１０２】
上記表１及び図２より、ビトロネクチンに由来する、（ｉ）式２−１’又は式２−１’’で表される糖鎖を有する糖ペプチドＤ（健常者平均ピーク面積値：４８６２６、膵臓癌患者平均ピーク面積値：６５７１１８並びに（ｉｉ）式２−２’で表される糖鎖を有する糖ペプチドＥ（健常者平均ピーク面積値：０、膵臓癌患者平均ピーク面積値：６３４０８５）の発現量は、健常者と比べて、膵臓癌患者において顕著に増加していることが分かった。特に、（ｉｉ）式２−２’で表される糖鎖を有する糖ペプチドＥについては、健常者では全く発現していないことが分かった。
また、上記式２−１’、式２−１’’及び式２−２’で表される糖鎖は、ビトロネクチンのアミノ酸配列のＮ末端より１６９番目のアスパラギン残基にそれぞれ結合していることを確認した。【０１０３】
上記表１及び図３より、ビトロネクチンに由来する、（ｉ）式３−１’で表される糖鎖を有する糖ペプチドＦ（健常者平均ピーク面積値：４０４３３７３、膵臓癌患者平均ピーク面積値：１３０３８７２０）及び（ｉｉ）式３−２’で表される糖鎖を有する糖ペプチドＧ（健常者平均ピーク面積値：０、膵臓癌患者平均ピーク面積値：６３４０８５）の発現量は、健常者と比べて、膵臓癌患者において顕著に増加していることが分かった。特に、（ｉｉ）式３−２’で表される糖鎖を有する糖ペプチドＧについては、健常者では全く発現していないことが分かった。
また、上記式３−１’及び式３−２’で表される糖鎖は、ビトロネクチンのアミノ酸配列のＮ末端より１６９番目のアスパラギン残基にそれぞれ結合していることを確認した。【０１０４】
上記表１及び図４より、補体Ｃ４−Ａに由来する、（ｉ）式４−１で表される糖鎖を有する糖ペプチドＨ（健常者平均ピーク面積値：３０７５２５７、膵臓癌患者平均ピーク面積値：２６７０３３６２）の発現量は、健常者と比べて、膵臓癌患者において顕著に増加していることが分かった。
また、上記式４−１で表される糖鎖は、補体Ｃ４−Ａのアミノ酸配列のＮ末端より１３２８番目のアスパラギン残基にそれぞれ結合していることを確認した。【０１０５】
上記表１及び図５より、インターアルファトリプシンインヒビター重鎖Ｈ３に由来する、（ｉ）式５−１’、式５−１’’、式５−２’又は式５−２’’で表される糖鎖を有する糖ペプチドＩ（健常者平均ピーク面積値：６４４３４３、膵臓癌患者平均ピーク面積値：９８８６９９６）の発現量は、健常者と比べて、膵臓癌患者において顕著に増加していることが分かった。
また、上記式５−１’、式５−１’’、式５−２’及び式５−２’’で表される糖鎖は、インターアルファトリプシンインヒビター重鎖Ｈ３のアミノ酸配列のＮ末端より５８０番目のアスパラギン残基にそれぞれ結合していることを確認した。【０１０６】
上記表１及び図６より、ロイシンリッチアルファ２グリコプロテインに由来する、（ｉ）式６−１で表される糖鎖を有する糖ペプチドＪ（健常者平均ピーク面積値：６３９６９３、膵臓癌患者平均ピーク面積値：１７０７０３１６）の発現量は、健常者と比べて、膵臓癌患者において顕著に増加していることが分かった。
また、上記式６−１で表される糖鎖は、ロイシンリッチアルファ２グリコプロテインのアミノ酸配列のＮ末端より１８６番目のアスパラギン残基に結合していることを確認した。【０１０７】
上記表１及び図７より、チロキシン結合グロブリンに由来する、（ｉ）式３−１’で表される糖鎖を有する糖ペプチドＫ（健常者平均ピーク面積値：２０９２３６９１、膵臓癌患者平均ピーク面積値：１２４８２５０７０）及び（ｉｉ）式３−２’で表される糖鎖を有する糖ペプチドＬ（健常者平均ピーク面積値：０、膵臓癌患者平均ピーク面積値：４８０８１３４）の発現量は、健常者と比べて、膵臓癌患者において顕著に増加していることが分かった。特に、式３−２’で表される糖鎖を有する糖ペプチドＬについては、健常者では全く発現していないことが分かった。
また、上記式３−１’及び式３−２’で表される糖鎖は、チロキシン結合グロブリンのアミノ酸配列のＮ末端より３６番目のアスパラギン残基にそれぞれ結合していることを確認した。【０１０８】
更に、上記糖ペプチドＡ〜Ｌの発現量について、ＲＯＣ（Ｒｅｃｅｉｖｅｒ  Ｏｐｅｒａｔｉｎｇ  Ｃｈａｒａｃｔｅｒｉｓｔｉｃ）曲線解析によりＡＵＣ値（Ａｒｅａ  Ｕｎｄｅｒ  ｔｈｅ  Ｃｕｒｖｅ：曲線面積値）を算出した。
その結果を下記表２に示す。尚、ＡＵＣ値については、０．７５以上が好ましく、０．８０以上となれば極めて高い判定能があると考える。【０１０９】
【表２】
2020004244.tif 000063
【０１１０】
上記表２より、上記糖ペプチドＡ〜Ｌは、何れも良好なＡＵＣ値を示した。【０１１１】
以上のことより、上記糖ペプチドＡ〜Ｌをマーカーとして用いることにより、検体（サンプル）が膵臓癌であるか否かが判定可能であることが分かった。
【産業上の利用可能性】
【０１１２】
本発明の膵臓癌の判定用マーカー及びこれを用いた膵臓癌の判定方法、並びに膵臓癌の判定を行うためのデータを得る方法によれば、確度（正確度・精度）の高い、膵臓癌の判定（診断、検査）を行うことができる。
【図１】
2020004244.tif 000088
【図２】
2020004244.tif 000089
【図３】
2020004244.tif 000090
【図４】
2020004244.tif 000091
【図５】
2020004244.tif 000092
【図６】
2020004244.tif 000093
【図７】
2020004244.tif 000094
【配列表】
2020004244000001.app
【国際調査報告】
2020004244.tif 000095
2020004244.tif 000096
2020004244.tif 000097
2020004244.tif 000098
2020004244.tif 000099
2020004244.tif 000100
2020004244.tif 000101
2020004244.tif 000102